(57)【特許請求の範囲】
【請求項１】
画像データに応じて駆動される複数の発光素子、および、前記画像データの１ライン分の画像データに基づいて前記複数の発光素子から照射される光の走査により像担持体の主走査方向に形成される該１ライン分の光書き込みラインが、前記主走査方向と直角な副走査方向に、プロセススピードに応じたピッチで繰り返し形成される画像形成手段を備えた画像形成装置において、
前記プロセススピードを、第１のスピードまたは該第１のスピードの１／Ｎ（Ｎは１よりも大きい整数）のスピードである第２のスピードに設定する設定手段、
前記主走査方向に形成される１ライン分の光書き込みラインを前記副走査方向に繰り返し形成する際に、前記設定手段によって前記プロセススピードが前記第１のスピードに設定されたときには前記１ライン分の画像データの更新を１ライン毎に行い、および前記第２のスピードに設定されたときには同一の画像データでＮライン分の走査を行うように前記１ライン分の該画像データの更新をＮライン毎に行う更新手段、並びに、
前記更新手段による前記１ライン分の画像データの更新タイミングに応じたタイミングで前記発光素子を発光させるタイミング信号を生成する手段であって、該信号により、前記第２のスピードに設定されたときの前記発光素子の発光時間を、前記第１のスピードに設定されたときの前記発光素子の該発光時間の１／Ｎとすることで、前記画像形成手段によって前記像担持体に形成される画像濃度を一定にする手段
を備えたことを特徴とする画像形成装置。
【発明の詳細な説明】
【０００１】
【発明の属する技術分野】
本発明は画像形成装置に関し、特に、複数の発光素子を有する発光素子制御装置を用いて潜像を形成する画像形成装置に関する。
【０００２】
【従来技術】
従来、発光素子アレイをプリント・ヘッドに用いた画像形成装置では、画像形成のプロセス・スピードを変更しても、発光素子の発光デューティを一定としたまま画像形成を行っていた。発光デューティ一定ではプロセス・スピードを遅くしたときに出力画像の濃度が高くなるので、これを回避するために、潜像、現像を形成するための高圧出力値をプロセス・スピードに応じて可変させる手法が用いられている。
【０００３】
【発明が解決しようとする課題】
しかしながら、上記高圧出力値の設定値を決定するには多くの検討期間を要する上に、高圧設定可変のためにＤ／Ａ変換器などを使用する必要があるため、コストアップにつながるという課題があった。
【０００４】
そこで、本発明は上記の課題に鑑みてなされたものであって、プロセス・スピードに応じ発光素子の発光デューティを可変設定することで、プロセス・スピードを変化させたときでも高圧設定を一定としたまま出力画像の濃度を常に一定にすることで潜像を形成する画像形成装置を提供することを目的とする。
【０００５】
さらに発光デューティ設定値を任意に設定できるようにしたことにより、最適の出力画像が得られるように潜像を形成する画像形成装置を提供することを目的とする。
【０００６】
【課題を解決するための手段】
上記の課題を解決するために本発明は、画像データに応じて駆動される複数の発光素子、および、前記画像データの１ライン分の画像データに基づいて前記複数の発光素子から照射される光の走査により像担持体の主走査方向に形成される該１ライン分の光書き込みラインが、前記主走査方向と直角な副走査方向に、プロセススピードに応じたピッチで繰り返し形成される画像形成手段を備えた画像形成装置において、前記プロセススピードを、第１のスピードまたは該第１のスピードの１／Ｎ（Ｎは１よりも大きい整数）のスピードである第２のスピードに設定する設定手段、前記主走査方向に形成される１ライン分の光書き込みラインを前記副走査方向に繰り返し形成する際に、前記設定手段によって前記プロセススピードが前記第１のスピードに設定されたときには前記１ライン分の画像データの更新を１ライン毎に行い、および前記第２のスピードに設定されたときには同一の画像データでＮライン分の走査を行うように前記１ライン分の該画像データの更新をＮライン毎に行う更新手段、並びに、前記更新手段による前記１ライン分の画像データの更新タイミングに応じたタイミングで前記発光素子を発光させるタイミング信号を生成する手段であって、該信号により、前記第２のスピードに設定されたときの前記発光素子の発光時間を、前記第１のスピードに設定されたときの前記発光素子の該発光時間の１／Ｎとすることで、前記画像形成手段によって前記像担持体に形成される画像濃度を一定にする手段を備えた画像形成装置を提供する。
【００１６】
【発明の実施の形態】
以下、図面を参照して本発明の実施の形態を詳細に説明する。
【００１７】
ＬＥＤアレイを露光系に用いた２値記録デジタル・カラー複写機に本発明を適用した一実施の形態を説明する。
【００１８】
図１はデジタル・カラー複写機の概略の横断面図である。図１では上部にカラー・リーダ部、下部にカラー・プリンタ部を配置してある。
【００１９】
図１を参照して、まずカラー・リーダ部の構成について説明する。カラー・リーダ部において、２０１はＣＣＤ、１１１はＣＣＤ２０１が実装された基板、１１２は画像処理部である。画像処理部１１２は、図２からＣＣＤ２０１を除いた部分と図３の構成要素３０１，３０２〜３０５を含む。
【００２０】
１０１は原稿台ガラス、１０２は原稿給紙装置（ＤＦ）である。なお、この原稿給紙装置１０２の代わりに鏡面圧板（不図示）を装着する構成もある。１０３および１０４は原稿を照明する光源（ハロゲン・ランプまたは蛍光灯）、１０５および１０６は反射傘であり、光源１０３，１０４の光を原稿に集光する。１０７〜１０９はミラー、１１０はレンズであり、原稿からの反射光または投影光をＣＣＤ２０１上に集光する。
【００２１】
１１３は他のＩＰＵ等とのインターフェイス（Ｉ／Ｆ）部である。１１４はキャリッジであり、ハロゲン・ランプ１０３，１０４と反射傘１０５，１０６とミラー１０７を収容する。１１５はキャリッジであり、ミラー１０８，１０９を収容する。キャリッジ１１４が速度Ｖで、キャリッジ１１５が速度Ｖ／２で、それぞれＣＣＤ２０１の電気的走査（主走査）方向に対して垂直方向に機械的に移動することによって、原稿の全面を走査（副走査）する。
【００２２】
図２はデジタル画像処理部１１２の詳細な構成を示すブロック図である。
【００２３】
原稿台ガラス１０１上の原稿は光源１０３，１０４からの光を反射する。この反射光はＣＣＤ２０１に導かれ、電気信号に変換される。なお、ＣＣＤ２０１はカラー・センサであるが、ＲＧＢのカラー・フィルタが１ラインＣＣＤ上にＲＧＢ順にインラインに乗ったものでも、３ラインＡ′８２ｂＤで、それぞれにＲフィルタ、Ｇフィルタ、Ｂフィルタを設けたものでも構わない。また、フィルタがオンチップ化されたものでも、ＣＣＤと別構成になったものでも構わない。
【００２４】
ＣＣＤ２０１からの電気信号（アナログ画像信号）は画像処理部１１２に入力され、クランプ＆Ａｍｐ＆Ｓ／Ｈ＆Ａ／Ｄ部２０２でサンプル・ホールド（Ｓ／Ｈ）される。これにより、アナログ画像信号のダーク・レベルを基準電位にクランプし、所定レベルに増幅し（上記処理順は表記順とは限らない）、Ａ／Ｄ変換して、例えばＲＧＢ各８ビットのデジタル信号に変換する。
【００２５】
そして、これらＲＧＢ信号はシェーディング部２０３でシェーディング補正および黒補正を施された後、つなぎ＆ＭＴＦ補正＆原稿検知部２０４で所定の処理を施される。すなわち、ＣＣＤ２０１が３ラインＣＣＤの場合、ライン間の読取位置が異なるため、つなぎ処理により読取速度に応じてライン毎の遅延量を調整し、３ラインの読取位置が同じになるように信号タイミングを補正し、また読取速度や変倍率によって読取のＭＴＦが変るため、ＭＴＦ補正によりその変化を補正し、原稿台ガラス１０１上の原稿を走査して原稿検知により原稿サイズを認識する。
【００２６】
読取位置タイミングが補正されたデジタル信号は、入力マスキング部２０５において、ＣＣＤ２０１の分光特性と、光源１０３，１０４および反射傘１０５，１０６の分光特性を補正される。入力マスキング部２０５の出力は外部Ｉ／Ｆ信号との切り換え可能なセレクタ２０６に入力される。セレクタ２０６から出力された信号は色空間圧縮＆下地除去＆ＬＯＧ変換部２０７及び下地除去部２１５に入力される。下地除去部２１５に入力された信号は下地除去された後、原稿中の原稿の黒い文字かどうかを判定する黒文字判定部２１６に入力され、原稿から黒文字信号を生成する。
【００２７】
また、セレクタ２０６からのもう一つの出力が入力された色空間圧縮＆下地除去＆ＬＯＧ変換部２０７では、色空間圧縮処理を行い、読み取った画像信号がプリンタで再現できる範囲に入っているかどうか判断し、入っている場合はそのまま、入っていない場合は画像信号をプリンタで再現できる範囲に入るように補正する。さらに下地除去処理を行い、ＬＯＧ変換によりＲＧＢ信号からＣＭＹ信号に変換する。そして、色空間圧縮＆下地除去＆ＬＯＧ変換部２０７の出力信号は遅延部２０８でタイミングを調整され、黒文字判定部２１６で生成された信号とのタイミングを補正される。この２種類の信号はモワレ除去部２０９でモワレを除去され、変倍処理部２１０で主走査方向に変倍処理を施される。
【００２８】
変倍処理されたＣＭＹ信号はＵＣＲ＆マスキング＆黒文字反映部２１１に入力され、ＵＣＲ処理によりＣＭＹＫ信号が生成され、マスキング処理によりプリンタの出力に応じた信号に補正される。ここで、黒文字判定部２１６で生成された判定信号がＣＭＹＫ信号にフィードバックされる。ＵＣＲ＆マスキング＆黒文字反映部２１１で処理された信号はガンマ補正部２１２で濃度調整された後、フィルタ部２１３でスムージングまたはエッジ処理される。
【００２９】
画像処理部１１２によって以上の通りに処理された信号は、図３の２値変換部３０１において８ビットの多値信号から２値信号に変換される。２値変換部３０１は例えばディザ法により２値信号への変換を行なうが、この変換方法はディザ法に限定されるものではなく、誤差拡散法、誤差拡散の改良したものいずれでも構わない。
【００３０】
次に図１に戻って、カラー・プリンタ部の構成について説明する。図１中、下部のカラー・プリンタ部において、１１７はＹ画像形成部、１１８はＭ画像形成部、１１９はＣ画像形成部、１２０はＫ画像形成部であり、それぞれが周知の電子写真プロセスによる各色の画像形成を行ない、カラー・コピー時のカラー画像のプリントを行なう。各画像形成部の構成は同一なのでＹ画像形成部１１７について詳細に説明し、他の画像形成部の説明は省略する。
【００３１】
Ｙ画像形成部１１７において、１４２は感光ドラムであり超音波モータ（図示せず）により駆動される。１２１は一次帯電器で、感光ドラム１４２の表面を所定の電位に帯電させ、潜像形成の準備をする。ＬＥＤアレイ３１０からの光によって、感光ドラム１４２の表面を露光することで潜像が形成される。１２２は現像器で、感光ドラム１４２上の潜像を現像して、トナー画像を形成して顕像化する。なお、現像器１２２には、現像バイアスを印加して現像するためのスリーブ１６５が含まれている。１２３は転写帯電器で、転写ベルト１３３の下面から放電を行い、感光ドラム１４２上のトナー画像を転写ベルト１３３上の記録紙などに転写する。
【００３２】
なお、本実施の形態の装置は転写効率がよいため、画像形成部にクリーナ部が配置されていないが、クリーナ部を装着しても問題ないことは言うまでもない。また、他の画像形成部１１８〜１２０において、１４３〜１４５は感光ドラム、３１１〜３１３はＬＥＤアレイ、１２４，１２７，１３０は一次帯電器、１２５，１２８，１３１は現像器、１６６〜１６８はスリーブ、１２６，１２９，１３２は転写帯電器である。
【００３３】
次に、記録紙などの上へ画像を形成する手順を説明する。カセット１４０，１４１に格納された記録紙等はピックアップ・ローラ１３９，１３８により１枚毎に給紙され、給紙ローラ１３６，１３７で転写ベルト１３３上に供給される。給紙された記録紙は、吸着帯電器１４６により帯電させられる。１４８は転写ベルト・ローラであり、転写ベルト１３３を駆動し、かつ、吸着帯電器１４６と対になって記録紙等を帯電させ、転写ベルト１３３に記録紙等を吸着させる。１４７は紙先端センサであり、転写ベルト１３３上の記録紙等の先端を検知する。
【００３４】
なお、紙先端センサ１４７の検出信号はカラー・プリンタ部からカラー・リーダ部へ送られて、カラー・リーダ部からカラー・プリンタ部にビデオ信号を送る際の副走査同期信号として用いられる。
【００３５】
紙端検知された記録紙等は転写ベルト１３３によって搬送され、画像形成部１１７〜１２０においてＹＭＣＫの順にその表面にトナー画像を形成されてカラー・プリントされる。Ｋ画像形成部１２０を通過した記録紙等は、転写ベルト１３３からの分離を容易にするために除電帯電器１４９で除電された後、転写ベルト１３３から分離される。１５０は剥離帯電器であり、記録紙等が転写ベルト１３３から分離する際の剥離放電による画像乱れを防止する。分離された記録紙等は、トナーの吸着力を補って画像乱れを防止するために定着前帯電器１５１，１５２で帯電された後、定着器１３４でトナー画像を熱定着された後、排紙トレー１３５に排紙される。
【００３６】
次に、ＬＥＤ画像記録について説明する。
【００３７】
図２および図３の画像処理部１１２で生成された２値のＹＭＣＫ各画像信号は、紙先端センサ１４７からの紙先端信号を基にそれぞれ遅延部３０２〜３０５によって紙先端センサと各画像形成部との距離の違いを調整され、これにより４色を所定の位置にプリントすることが可能となる。ＬＥＤ駆動部３０６〜３０９はそれぞれＬＥＤアレイ３１０〜３１３を駆動するための信号を生成し、各色画像信号にしたがって各色画像形成部のＬＥＤアレイを駆動する。
【００３８】
次に、本発明の特徴的な部分であるＬＥＤアレイ発光デューティ制御装置（発光素子制御装置）について説明する。
【００３９】
本実施の形態に係るデジタル・カラー複写機（画像形成装置）は、記録媒体の種類に応じてプロセス・スピードを変更し、プロセス・スピードに係わる搬送速度等も変更するようにした。これは、主に、以下のような定着特性の相違に因るものである。紙厚の大きな記録紙（厚紙）は定着器の熱を多く吸収するために、普通紙と同じプロセス・スピードで定着器を通過させると、定着ローラの温度が低下しすぎて定着性が悪くなる。またＯＨＰシートは、普通紙と同じスピードで定着器を通過させるとトナーが融解しきらず、出力画像は光の透過性が悪いものとなる。そこで本実施の形態に係るデジタル・カラー複写機では普通紙のプロセス・スピードを標準速とし、厚紙では標準速に対し２分の１の速度（以下、１／２速）、ＯＨＰシートでは同じく４分の１の速度（以下、１／４速）に設定して定着特性の相違をカバーするようにしている。
【００４０】
プロセス・スピードをこのように設定したときのデータを標準速時のデータと同じように形成すると、次のような弊害が生じる。つまり、標準速時に図４（ａ）の通りにプリントしたデータＤ０〜Ｄ３と同一データを利用し、これにより標準速未満の設定でプリントを行なったとすると、副走査方向（搬送方向）のライン・ピッチが標準速時よりも狭く圧縮されてしまう。１／２速では図４（ｂ）に示すようにデータＤ０〜Ｄ３に対応した画像が副走査方向に２分の１ピッチに圧縮された画像になり、また１／４速では図４（ｃ）に示すように同じく４分の１ピッチに圧縮された画像になってしまう。
【００４１】
そこで、圧縮されないで標準速時と同様の幅でプリント出力するために、図５の構成による本実施の形態の発光デューティ制御を行なう。
【００４２】
画像データ更新制御部５０１はライン毎のデータの更新を制御する。
【００４３】
まず、図３の遅延部３０２〜３０５から出力されたシリアル画像データが出力切替え部５０８に入力される。出力切替え部５０８はセレクタ５１２が出力する更新タイミング信号により切替えを行ない、出力切替え部５０８の出力はライン・メモリであるＲＡＭ５０９とＲＡＭ５１０に交互に書込まれる。このＲＡＭ５０９，ＲＡＭ５１０には、遅延部３０２〜３０５からシリアル転送されくるラスタデータをデータ並べ替え装置（図示せず）によりＬＥＤの発光順に合わせて並べ替えたデータが書込まれる。ＲＡＭ５０９，ＲＡＭ５１０の出力データは、セレクタ５１２が出力する更新タイミング信号により動作するセレクタ５１１により図３のＬＥＤ駆動部３０６〜３０９へ選択出力され、ＬＥＤアレイ３１０〜３１３の駆動に用いられる。
【００４４】
セレクタ５１２は、主走査同期信号ＨＳＹＮＣＮ（６００ｄｐｉ  １ライン周期）の３ｂｉｔカウンタ５１３によるカウント値Ｄとスピード設定レジスタ５２９の設定値を入力し、出力切替え部５０８とセレクタ５１１の切替えタイミングを決定する上述の更新タイミング信号を生成する。スピード設定レジスタ５２９は２ｂｉｔのレジスタであり、標準速のとき“００”が，１／２速のとき“０１”が，１／４速のとき“１０”が設定される。すなわち、セレクタ５１２はスピード設定レジスタ５２９の設定値“００”に対して“Ｄ（０）”，“０１”に対して“Ｄ（１）”，“１０”に対して“Ｄ（２）”をそれぞれ出力する。
【００４５】
これら各出力はページ・メモリ制御装置（図示せず）にも入力され、これによりページ・メモリからのデータの呼び出しタイミングも制御している。ＲＡＭ５０９，ＲＡＭ５１０からの読み出しタイミングはプロセス・スピードによらず一定とする。
【００４６】
このような構成の画像データ更新制御部５０１を設けたことにより、プロセス・スピードが１／２速、１／４速のときでも、主走査同期信号ＨＳＹＮＣＮによって１ライン毎に毎回データが更新されることがなくなる。
【００４７】
図６は画像データ更新制御部５０１による更新タイミングを示すタイミング・チャートである。
【００４８】
主走査同期信号ＨＳＹＮＣＮ（図６（ａ））とカウント出力Ｄ（図６（ｂ））に対して、セレクタ５１２が出力するＤＡＴＡは標準速のときに１ライン毎に更新される（図６（ｃ））。これに対して、１／２速のときは更新タイミングが２倍の２ライン毎に更新され（図６（ｄ））、１／４速のときは更新タイミングが４倍の４ライン毎に更新されたものになる（図６（ｅ））。つまり、プロセス・スピードに比例して画像データの更新タイミングが変更される。
【００４９】
このときの記録媒体上の出力画像を図７に示す。
【００５０】
更新タイミングを図６のように可変としたことにより、標準速のとき（図７（ａ））に１ライン毎に更新されて形成された画像は，１／２速のときは２ライン毎に更新される度に標準速時の記録媒体上の１ライン幅相当に形成され（図７（ｂ）），１／４速のときは４ライン毎に更新される度に標準速時の記録媒体上の１ライン幅相当に形成される（図７（ｃ））。したがって、プロセス・スピードによる副走査方向の画像圧縮をなくすことができる。
【００５１】
図７（ｂ）および（ｃ）では、副走査方向の画像サイズは標準速のときと同一にすることができる。しかし、１／２速のときは画像濃度が標準速時の２倍、１／４速のときは４倍になっている。そこで、本発明に特徴的な発光デューティ制御を以下の通りに行なうことで、この画像濃度の問題を解決するようにした。
【００５２】
本実施の形態における発光デューティ制御は、図５の発光タイミング制御部５０２により行なう。同図を参照し、発光タイミング制御部５０２による制御ついて説明する。
【００５３】
発光タイミング制御部５０２は発光タイミング信号ΦＩを生成し、この発光タイミング信号ΦＩがローレベルの時にＬＥＤアレイ３１０〜３１３が発光する。発光タイミング信号ΦＩのタイミングはレジスタ５２０〜５２３により複数通りに設定され、プロセス・スピードに応じて設定値をセレクタ５２７が選択出力し、これらの値と基準クロックを比較することで発光タイミング信号ΦＩが生成される。
【００５４】
すなわち、レジスタ５２０は発光タイミング信号ΦＩの立上がりタイミングを設定するレジスタであり、プロセス・スピードに関わらず一定の立上がりタイミングを設定する。ここではレジスタ５２０に“３０（Ｄ）”を設定するものとする。レジスタ５２１〜５２３は発光タイミング信号ΦＩの立下がりタイミングを設定するレジスタであり、それぞれ順に標準速、１／２速、１／４速用の設定値を設定しておく。ここではレジスタ５２１に“１０（Ｄ）”を、レジスタ５２２に“２０（Ｄ）”を、レジスタ５２３に“２５（Ｄ）”を設定するものとする。なお、本明細書中で、“Ｎ（Ｄ）”は１０進数Ｎに相当する２進数とする。
【００５５】
カウンタ５２４は５ｂｉｔカウンタであり、２進数“１１１１１”（１０進数２5 ＝３２）までカウントすることができる。カウンタ５２４は基準のシステム・クロックであり画像転送クロックであるＰＣＬＫ信号を入力し、後述の通りにカウントする。セレクタ５２７がプロセス・スピード設定レジスタ５２９の出力値に応じて選択出力したレジスタ５２１〜５２３の設定値は、コンパレータ５２６によりカウンタ５２４のカウント出力と比較され、両者が等しいときにコンパレータ５２６はハイレベルを出力する。
【００５６】
また、コンパレータ５２５はレジスタ５２０の設定値とカウンタ５２４のカウント出力を比較し、等しいときハイレベルを出力する。コンパレータ５２５の出力はＪＫフリップ・フロップ５２８のＪ端子に入力され、発光タイミング信号ΦＩの立上がりタイミングが生成される。前述したコンパレータ５２６の出力はＪＫフリップ・フロップ５２８のＫ端子に入力され、発光タイミング信号ΦＩの立下がりタイミングが生成される。
【００５７】
図８は、以上のようにして生成された発光タイミング信号ΦＩのタイミングを示すタイミング・チャートであり、同図（ａ）はカウンタ５２４によるＰＣＬＫ信号のカウントを示す。
【００５８】
図８から明らかな様に、標準速のときの発光時間は１１〜３０の２０カウント相当（図８（ｂ）），１／２速のときの発光時間は２１〜３０の１０カウント相当（図８（ｃ）），１／４速のときの発光時間は２２〜３０の５カウント相当（図８（ｄ））となる。このように、発光時間、すなわち露光時間はプロセス・スピードに比例することになる。
【００５９】
図８のタイミングで発光デューティを制御してプリント出力した場合のプリント結果の一例を図９に模式的に示す。
【００６０】
図９（ａ）の標速時には記録媒体上の１ライン幅に１００パーセント露光で１回走査を行なうとすると、図９（ｂ）の１／２速時は同一幅に５０パーセント露光で２回走査し、図９（ｃ）の１／４速時は同一幅に２５パーセント露光で４回走査することになる。
【００６１】
図９に示した通り、本実施の形態に特徴的な上記した画像データ更新制御と発光デューティ制御を行なうことで、プロセス・スピードを変化させたときでも高圧設定を一定としたまま、記録媒体にプリント出力する画像濃度を定着特性にかかわらず常に一定に保つことが出来、安定した画像を得ることができる。
【００６２】
またここでは、プロセス・スピードが３通りの場合について説明したが、本発明はプロセス・スピードの数に限定されることがない。また、１／２速，１／４速のような１／（２のｎ乗）速に限定されることもないことは勿論である。
【００６３】
なお、上述した実施の形態では本発明をデジタル・カラーＬＥＤ複写機に適用した例について説明したが、本発明は上記実施の形態の装置に限定されるものではなく、全ての発光素子アレイ画像形成装置に適用できることは言うまでもない。
【００６４】
【発明の効果】
以上説明したように、本発明によれば、プロセス・スピードを変化させたときにプロセス・スピードに応じて発光素子の発光デューティを制御することにより、高圧設定を一定としたまま出力画像の濃度を常に一定に保つことができ、常に安定したプリント画像を記録媒体に出力することができる。
【図面の簡単な説明】
【図１】本発明の一実施の形態に係るデジタル・カラー複写機（画像形成装置）の概略の横断面図である。
【図２】本発明の一実施の形態に係るデジタル・カラー複写機のデジタル画像処理部の詳細な構成を示すブロック図である。
【図３】本発明の一実施の形態に係るデジタル・カラー複写機の画像処理部の詳細な構成を示すブロック図である。
【図４】本発明を実施しないときのプリント出力の一例を模式的に示す説明図である。
【図５】本発明の一実施の形態に係るデジタル・カラー複写機の要部のブロック図である。
【図６】本発明の一実施の形態の特徴である画像データ更新制御部による更新タイミングを示すタイミング・チャートである。
【図７】本発明の一実施の形態における更新タイミングでのプリント出力の一例を模式的に示す説明図である。
【図８】本発明の一実施の形態における発光タイミング信号を示すタイミング・チャートである。
【図９】本発明の一実施の形態における更新タイミングと発光タイミング制御実施時のプリント出力の一例を模式的に示す説明図である。
【符号の説明】
５０１  画像データ更新制御部
５０２  発光タイミング制御部
５０８  出力切替え部
５０９，５１０  ＲＡＭ
５１１，５１２  セレクタ
５１３  ３ｂｉｔカウンタ
５２０〜５２３，５２９  レジスタ
５２５，５２６  コンパレータ
５２７  セレクタ
５２８  ＪＫフリップ・フロップ
５２９  スピード設定レジスタ
【図１】
0004315401.tif 000002
【図２】
0004315401.tif 000003
【図３】
0004315401.tif 000004
【図４】
0004315401.tif 000005
【図５】
0004315401.tif 000006
【図６】
0004315401.tif 000007
【図７】
0004315401.tif 000008
【図８】
0004315401.tif 000009
【図９】
0004315401.tif 000010